(57)【要約】【課題】毛髪が抜けにくく、メンテナンスの際に毛髪を再利用しやすいヘアエクステンションを提供する。【解決手段】ヘアエクステンション１は、複数回折り返されており折り返しを介しての部位同士が重なり合う基端部、及び外部に露出する露出部からなる複数本の毛髪２１が束ねられて構成される毛髪体２と、毛髪体２の基端部を覆うシート状の被覆材３１、及び被覆材３１の内面に直接的又は間接的に接合されている芯材３３、を有する基体３と、を備える。ヘアエクステンション１の基端部は、折り返しを介して第１部位２１ｂと第２部位２１ｃとを含む。ヘアエクステンション１の芯材３３は、第１部位２１ｂと第２部位２１ｃとの間に配置されており、被覆材３１との間に第１部位２１ｂを挟み込んで被覆材３１の内面に接合されている。【選択図】図３
2020111851.tif 000002
【特許請求の範囲】
【請求項１】
複数本の毛髪が束ねられて構成される毛髪体であって、前記毛髪が束ねられている部分であり複数回折り返されており折り返しを介しての部位同士が重なり合う基端部、及び前記基端部以外の部分であり外部に露出する露出部からなる毛髪体と、
前記毛髪体の前記基端部を覆うシート状の被覆材、及び当該被覆材の内面に直接的又は間接的に接合されている芯材、を有する基体と、を備え、
前記基端部は、前記露出部側を基として、１回目の折り返し位置から２回目の折り返し位置までの第１部位と、前記２回目の折り返し位置から先端位置まで又は前記２回目の折り返し位置から３回目の折り返し位置までの第２部位とを含み、
前記芯材は、前記第１部位と前記第２部位との間に配置されており、前記被覆材との間に前記第１部位を挟み込んで前記被覆材の内面に接合されていることを特徴とするヘアエクステンション。
【請求項２】
前記基体は、一対の面ファスナーを有し、
前記一対の面ファスナーの一片が前記被覆材の内面に固定されており、
前記一対の面ファスナーの他片が前記芯材として構成されていることを特徴とする請求項１に記載のヘアエクステンション。
【請求項３】
前記基体は、前記毛髪体と前記被覆材とを縫合する縫合材を有することを特徴とする請求項１又は２に記載のヘアエクステンション。
【請求項４】
前記被覆材は、前記基端部の一方側を覆う第１被覆部と前記基端部の他方側を覆う第２被覆部とを含み、
前記基体は、前記第１被覆部と前記第２被覆部との間に、片面又は両面に粘着性があり前記毛髪体の一部を挟み込んで前記被覆材の内面と対向する別の内面に接合されている粘着シートを有することを特徴とする請求項１〜３のいずれか一項に記載のヘアエクステンション。
【請求項５】
前記被覆材は、前記基端部の一方側を覆う第１被覆部と、前記基端部の他方側を覆う第２被覆部と、前記第１被覆部と前記第２被覆部との間で前記第１被覆部又は前記第２被覆部に繋がる内側被覆部とを有することを特徴とする１〜３のいずれか一項に記載のヘアエクステンション。
【請求項６】
前記基体は、前記被覆材に接合され、取り替え可能なシート状のパッドを取り外し可能に固定可能なパッド固定具をさらに有することを特徴とする請求項１〜５のいずれか一項に記載のヘアエクステンション。
【請求項７】
前記被覆材に固定されており、前記基体を使用者の頭部に装着させるための装着体をさらに備えることを特徴とする請求項１〜６のいずれか一項に記載のヘアエクステンション。
【請求項８】
前記装着体は、伸縮可能で使用時に前記使用者の前記頭部を囲うことが可能な複数の環状バンドを有することを特徴とする請求項７に記載のヘアエクステンション。
【請求項９】
隣り合わせの部位である第１部位及び第２部位を含む基端部、及び前記基端部以外の部分であり前記第２部位よりも前記第１部位の近くに位置する露出部からなる毛髪を、シート状の被覆材上に前記第１部位を載せるとともに前記被覆材から前記第２部位をはみ出させるようにして並び方向に複数本並べて配置する毛髪配置工程と、
シート状の芯材を前記複数本の前記毛髪を横断させるよう前記第１部位上に配置した上で、前記被覆材に接合する芯材接合工程と、
前記毛髪を前記第１部位と前記第２部位との間で折り返し、前記第２部位と前記被覆材とを縫合する毛髪体固定工程と、
前記被覆材を、折り返し線が前記並び方向に沿って延びるようにして半分に折り返す被覆材折り返し工程と、
前記被覆材の一部であり前記基端部の一方側を覆う第１被覆部と前記被覆材の一部であり前記基端部の他方側を覆う第２被覆部とを縫合する被覆部重ね縫合工程と、を備えることを特徴とするヘアエクステンションの製造方法。
【請求項１０】
隣り合わせの部位である第１部位及び第２部位を含む基端部、及び前記基端部以外の部分であり前記第２部位よりも前記第１部位の近くに位置する露出部からなる毛髪を、シート状の被覆材上に前記基端部全体が載るようにして並び方向に複数本並べて配置する毛髪配置工程と、
シート状の芯材を前記複数本の前記毛髪を横断させるよう前記第１部位上に配置した上で、前記被覆材に接合する芯材接合工程と、
前記第２部位と前記被覆材とを縫合する毛髪体固定工程と、
前記被覆材を、折り曲げ線が前記並び方向に沿って延びるようにして複数回折り返す被覆材折り返し工程と、
前記被覆材の一部であり前記基端部の一方側を覆う第１被覆部と前記被覆材の一部であり前記基端部の他方側を覆う第２被覆部とを縫合する被覆部重ね縫合工程と、を備えることを特徴とするヘアエクステンションの製造方法。
【請求項１１】
前記毛髪配置工程の前に、一対の面ファスナーの一片を前記被覆材に固定する芯材接合面形成工程を備え、
前記芯材接合工程では、前記芯材として前記一対の面ファスナーの他片を用い、前記一対の面ファスナーの他片を前記一対の面ファスナーの一片に貼り付けることで前記芯材を前記被覆材に接合することを特徴とする請求項９又は１０に記載のヘアエクステンションの製造方法。
【請求項１２】
前記被覆材に、取り替え可能なシート状のパッドを取り外し可能に固定するためのパッド固定具を接合するパッド固定具接合工程をさらに備えることを特徴とする請求項９〜１１のいずれか一項に記載のヘアエクステンションの製造方法。
【請求項１３】
前記被覆材に、使用者の頭部に装着するための装着体として、伸縮可能で使用時に前記使用者の前記頭部を囲うことが可能な複数の環状バンドを固定する装着体固定工程をさらに備えることを特徴とする請求項９〜１２のいずれか一項に記載のヘアエクステンションの製造方法。
【発明の詳細な説明】
【技術分野】
【０００１】
本発明は、ヘアエクステンション及びヘアエクステンションの製造方法に関する。
【背景技術】
【０００２】
頭部を装飾するために、人毛や人造毛（以下、「毛髪」と記載する。）を束ねたヘアエクステンションが知られている（特許文献１及び特許文献２参照。）。ヘアエクステンションは、一般的には複数本の毛髪が基端部で束ねられて繋がっている。また、ヘアエクステンションは、複数本の毛髪を基端部において束ねて繋げるために、毛髪が基体に保持されており、基体を頭部に接触させて取り付ける。なお、本明細書において、ヘアエクステンションとは、生えている毛髪に取り付けて毛髪の長さを延長するものだけでなく、毛髪が生えていない部分に取り付けて毛髪の範囲を広げるものも含む。
【０００３】
特許文献１には、折り曲げ可能な被覆材（綿布体）を備え、被覆材上の折り返し線を挟んだ両側にゲル状感熱性接着剤が滴下されているヘアエクステンション用の基体（毛髪用連結体）が記載されている。特許文献１に記載の基体は、被覆材が折り返されて複数本の毛髪の基端部を挟み込むことで、ゲル状感熱性接着剤によって毛髪を固めて保持することができ、ヘアエクステンションの基体として用いることができる。
【０００４】
また、特許文献２には、複数本の毛髪を備え、複数本の毛髪の基端部が、基体の一部である被覆材（第２係着帯及び布帯）に挟まれて被覆材と併せて縫合されたヘアエクステンション（つけ毛バンド）付きの帽子が記載されている。特許文献２に記載のヘアエクステンションは、毛髪を両側から挟み込む被覆材同士が、縫合されて密着することから、被覆材の挟み込む力によって毛髪を保持することができる。
【先行技術文献】
【特許文献】
【０００５】
【特許文献１】特開２００３−２７８０２１号公報
【特許文献２】特開２００３−１６６１１１号公報
【発明の概要】
【発明が解決しようとする課題】
【０００６】
病気等で抜けてしまった自毛を用いてヘアエクステンションを作りたい場合や、一品物の毛素材を用いてヘアエクステンションを作りたい場合等、替えのきかない毛髪を用いたヘアエクステンションにおいては、長期間にわたって良い状態に維持できるよう、ブラシでとかしても毛髪が抜けにくくしたいとの要望があるとともに、メンテナンスの際に毛髪を再利用できるようにしておきたいとの要望がある。
【０００７】
しかしながら、特許文献１に記載されているように、毛髪の基端部を接着剤で固めるような方法でヘアエクステンションを作った場合には、毛髪が抜けにくいようしっかり接着してしまうと、メンテナンスの際に接着部分を切り外さなければならなり、毛髪を十分に再利用することができない。
【０００８】
また、特許文献２に記載されているように、被覆材の側方からの挟み込む力だけで毛髪を保持する方法でヘアエクステンションを作った場合には、メンテナンスの際に毛髪を再利用しやすいものの、毛髪に引っ張る方向の力が加わると毛髪が抜けやすい。
【０００９】
そこで、本発明は、毛髪が抜けにくく、メンテナンスの際に毛髪を再利用しやすいヘアエクステンション及びそのようなヘアエクステンションの製造方法を提供することを課題としている。
【課題を解決するための手段】
【００１０】
［１］本発明に係るヘアエクステンションは、複数本の毛髪が束ねられて構成される毛髪体であって、毛髪が束ねられている部分であり複数回折り返されており折り返しを介しての部位同士が重なり合う基端部、及び基端部以外の部分であり外部に露出する露出部からなる毛髪体と、毛髪体の基端部を覆うシート状の被覆材、及び被覆材の内面に直接的又は間接的に接合されている芯材、を有する基体と、を備える。本発明に係るヘアエクステンションにおいては、基端部は、露出部側を基として、１回目の折り返し位置から２回目の折り返し位置までの第１部位と、２回目の折り返し位置から先端位置まで又は２回目の折り返し位置から３回目の折り返し位置までの第２部位とを含む。本発明に係るヘアエクステンションにおいては、芯材は、第１部位と第２部位との間に配置されており、被覆材との間に第１部位を挟み込んで被覆材の内面に接合されている。
【００１１】
本発明に係るヘアエクステンションは、毛髪が束ねられている部分であり複数回折り返されており折り返しを介しての部位同士が重なり合う基端部、及び基端部以外の部分であり外部に露出する露出部からなる毛髪体を備えている。この毛髪体の基端部は、露出部側を基として、１回目の折り返し位置から２回目の折り返し位置までの第１部位と、２回目の折り返し位置から先端位置まで又は２回目の折り返し位置から３回目の折り返し位置までの第２部位とを含んでいる。すなわち、本発明に係るヘアエクステンションの毛髪体は、基端部において、２回折り返されてターンしている。そして、本発明に係るヘアエクステンションは、毛髪体の基端部を覆うシート状の被覆材、及び被覆材の内面に直接的又は間接的に接合されている芯材、を有する基体を備えている。この基体の芯材は、第１部位と第２部位との間に配置されており、被覆材との間に第１部位を挟み込んで被覆材の内面に接合されている。すなわち、本発明に係るヘアエクステンションの基体は、芯材に１巻半程度巻かれた毛髪体を、第１部位において芯材と被覆材とで挟み込んで保持している。
【００１２】
本発明に係るヘアエクステンションによれば、芯材に１巻半程度巻かれた毛髪体を基体で保持しているため、毛髪体の露出部に引っ張る外力が加わったとしても、毛髪体が芯材を締め付け、芯材と毛髪体との抵抗が増し、芯材に対して毛髪体が滑りにくくなることから、毛髪を抜けにくく保持することができる。また、本発明に係るヘアエクステンションによれば、毛髪体が折り返された第１部位において保持されているため、毛髪体の露出部に引っ張る外力が加わったとしても第１部位には外力の向きとは逆向きで減少した力が伝わることから、毛髪を抜けにくく保持することができる。
【００１３】
また、本発明に係るヘアエクステンションによれば、基体は、毛髪体を芯材と被覆材とで挟み込んで保持しており、特に基端部を強力な接着剤で固めて保持するものではないため、メンテナンスの際、基体をばらすことで、毛髪体を切って短くすることなく複数の毛髪にばらすことができる。
【００１４】
その結果、本発明に係るヘアエクステンションは、毛髪が抜けにくく、メンテナンスの際に毛髪を再利用しやすいヘアエクステンションとなる。
【００１５】
［２］本発明に係るヘアエクステンションにおいては、基体は、一対の面ファスナーを有し、一対の面ファスナーの一片が被覆材の内面に固定されており、一対の面ファスナーの他片が芯材として構成されていることが好ましい。
【００１６】
このように構成されたヘアエクステンションは、面ファスナーによって被覆材と芯材との着脱が容易であることから、毛髪を容易に固定できるとともに、メンテナンスの際にはばらしやすいヘアエクステンションとなる。
【００１７】
［３］本発明に係るヘアエクステンションにおいては、基体は、毛髪体と被覆材とを縫合する縫合材を有することが好ましい。
【００１８】
このように構成されたヘアエクステンションは、縫合材で毛髪体と被覆材とが固定されることから、より毛髪を抜けにくく保持できるヘアエクステンションとなる。
【００１９】
［４］本発明に係るヘアエクステンションにおいては、被覆材が基端部の一方側を覆う第１被覆部と前記基端部の他方側を覆う第２被覆部とを含み、基体は、第１被覆部と第２被覆部との間に、片面又は両面に粘着性があり毛髪体の一部を挟み込んで被覆材の内面と対向する別の内面に接合されている粘着シートを有するよう構成されてもよい。
【００２０】
このように構成されたヘアエクステンションは、粘着シートによって毛髪体の一部が被覆部の別の内側でも固定されることから、より毛髪を抜けにくく保持できるヘアエクステンションとなる。
【００２１】
［５］本発明に係るヘアエクステンションにおいては、被覆材は、基端部の一方側を覆う第１被覆部と、基端部の他方側を覆う第２被覆部と、第１被覆部と第２被覆部との間で第１被覆部又は第２被覆部に繋がる内側被覆部とを有するように構成されてもよい。
【００２２】
このように構成されたヘアエクステンションは、第１被覆部と内側被覆部とで、及び第２被覆部と内側被覆部とでも毛髪体を挟み込んで保持することができることから、より毛髪を抜けにくく保持できるヘアエクステンションとなる。
【００２３】
［６］本発明に係るヘアエクステンションにおいては、基体は、被覆材に接合され、取り替え可能なシート状のパッドを取り外し可能に固定可能なパッド固定具をさらに有することが好ましい。
【００２４】
このように構成されたヘアエクステンションは、パッド固定具によって頭皮に接して汚れやすい面に取り替え可能なパッドを被覆材に固定でき、パッドを簡単に取り外して洗濯したり、新しいパッドに交換したりできることから、清潔に維持しやすいヘアエクステンションとなる。また、このように構成されたヘアエクステンションは、毛髪体ごと洗濯しなくてよいため、毛髪体が傷みにくいことから、毛髪体を良い状態で長期間維持可能なヘアエクステンションとなる。
【００２５】
［７］本発明に係るヘアエクステンションにおいては、被覆材に固定されており、基体を使用者の頭部に装着させるための装着体をさらに備えることが好ましい。
【００２６】
このように構成されたヘアエクステンションは、装着用の別部材を用いなくても装着体によって使用者の頭部に装着可能なことから、すぐに使えるヘアエクステンションとなる。
【００２７】
［８］本発明に係るヘアエクステンションにおいては、装着体は、伸縮可能で使用時に使用者の頭部を囲うことが可能な複数の環状バンドを有することが好ましい。
【００２８】
このように構成されたヘアエクステンションは、複数の環状バンドによって複数方向に引っ張られて使用者の頭部に固定されることから、装着した際に位置がずれにくいヘアエクステンションとなる。
【００２９】
［９］本発明に係るヘアエクステンションの第１の製造方法は、隣り合わせの部位である第１部位及び第２部位を含む基端部、及び基端部以外の部分であり第２部位よりも第１部位の近くに位置する露出部からなる毛髪を、シート状の被覆材上に第１部位を載せるとともに被覆材から第２部位をはみ出させるようにして並び方向に複数本並べて配置する毛髪配置工程を備える。また、本発明に係るヘアエクステンションの第１の製造方法は、シート状の芯材を複数本の毛髪を横断させるよう第１部位上に配置した上で、被覆材に接合する芯材接合工程を備える。また、本発明に係るヘアエクステンションの第１の製造方法は、毛髪を第１部位と第２部位との間で折り返し、第２部位と被覆材とを縫合する毛髪体固定工程を備える。また、本発明に係るヘアエクステンションの第１の製造方法は、被覆材を、折り返し線が並び方向に沿って延びるようにして半分に折り返す被覆材折り返し工程を備える。また、本発明に係るヘアエクステンションの第１の製造方法は、被覆材の一部であり基端部の一方側を覆う第１被覆部と被覆材の一部であり基端部の他方側を覆う第２被覆部とを縫合する被覆部重ね縫合工程を備える。
【００３０】
本発明に係るヘアエクステンションの第１の製造方法においては、毛髪を並び方向に複数本並べて配置する毛髪配置工程と、芯材を複数本の毛髪を横断させるよう第１部位上に配置した上で、被覆材に接合する芯材接合工程とを備えているため、毛髪の第１部位を被覆材に固定できることから、その後の製造工程の取扱いが容易になる。そして、本発明に係るヘアエクステンションの第１の製造方法においては、毛髪を第１部位と第２部位との間で折り返し、第２部位と被覆材とを縫合する毛髪体固定工程と、被覆材を、折り返し線が並び方向に沿って延びるようにして半分に折り返す被覆材折り返し工程とを備えているため、第１部位と第２部位との間に芯材を位置させるとともに、芯材に１巻半程度巻かれた毛髪体が第１部位において芯材と被覆材とに挟み込まれて保持されている態様のヘアエクステンションが形成される。さらに、本発明に係るヘアエクステンションの第１の製造方法においては、基端部の一方側を覆う被覆材の第１被覆部と基端部の他方側を覆う被覆材の第２被覆部とを縫合する被覆部重ね縫合工程を備えるため、基端部が被覆材でしっかり覆われた態様のヘアエクステンションが形成される。
【００３１】
これにより、本発明に係るヘアエクステンションの第１の製造方法によれば、製造されるヘアエクステンションが毛髪体の第１部位と第２部位との間の芯材に毛髪体が１巻半程度巻かれた態様であるため、毛髪体の露出部に引っ張る外力が加わったとしても、毛髪体が芯材を締め付け、芯材と毛髪体との抵抗が増し、芯材に対して毛髪体が滑りにくいことで毛髪を抜けにくく保持するヘアエクステンションを製造することができる。また、本発明に係るヘアエクステンションの第１の製造方法によれば、製造されるヘアエクステンションが折り返された第１部位において毛髪体を保持する態様であるため、毛髪体の露出部に引っ張る外力が加わったとしても第１部位には外力の向きとは逆向きで減少した力が伝わることで毛髪を抜けにくく保持するヘアエクステンションを製造することができる。
【００３２】
また、本発明に係るヘアエクステンションの第１の製造方法によれば、製造されるヘアエクステンションが毛髪体を芯材と被覆材とで挟み込んで保持する態様であり、特に基端部を強力な接着剤で固めて保持するものではないため、メンテナンスの際、基体をばらすことで、毛髪体を切って短くすることなく複数の毛髪にばらすことが可能なヘアエクステンションを製造することができる。
【００３３】
また、本発明に係るヘアエクステンションの第１の製造方法おいては、毛髪体固定工程及び被覆部重ね縫合工程で、毛髪体と被覆材とが縫合されるため、毛髪体と被覆材とが固定されることでより毛髪を抜けにくく保持するヘアエクステンションを製造することができる。
【００３４】
その結果、本発明に係るヘアエクステンションの第１の製造方法は、毛髪が抜けにくく、メンテナンスの際に毛髪を再利用しやすいヘアエクステンションの製造方法となる。
【００３５】
［１０］本発明に係るヘアエクステンションの第２の製造方法は、隣り合わせの部位である第１部位及び第２部位を含む基端部、及び基端部以外の部分であり第２部位よりも第１部位の近くに位置する露出部からなる毛髪を、シート状の被覆材上に基端部全体が載るようにして並び方向に複数本並べて配置する毛髪配置工程を備える。また、本発明に係るヘアエクステンションの第２の製造方法は、シート状の芯材を複数本の毛髪を横断させるよう第１部位上に配置した上で、被覆材に接合する芯材接合工程を備える。また、本発明に係るヘアエクステンションの第２の製造方法は、第２部位と被覆材とを縫合する毛髪体固定工程を備える。また、本発明に係るヘアエクステンションの第２の製造方法は、被覆材を、折り曲げ線が並び方向に沿って延びるようにして複数回折り返す被覆材折り返し工程を備える。また、本発明に係るヘアエクステンションの第２の製造方法は、被覆材の一部であり基端部の一方側を覆う第１被覆部と被覆材の一部であり基端部の他方側を覆う第２被覆部とを縫合する被覆部重ね縫合工程を備える。
【００３６】
本発明に係るヘアエクステンションの第２の製造方法においては、毛髪を並び方向に複数本並べて配置する毛髪配置工程と、芯材を複数本の毛髪を横断させるよう第１部位上に配置した上で、被覆材に接合する芯材接合工程とを備えているため、毛髪の第１部位を被覆材に固定できることから、その後の製造工程の取扱いが容易になる。そして、本発明に係るヘアエクステンションの第２の製造方法においては、毛髪を第２部位と被覆材とを縫合する毛髪体固定工程と、被覆材を、折り返し線が並び方向に沿って延びるようにして複数回に折り返す被覆材折り返し工程とを備えているため、第１部位と第２部位との間に芯材を位置させるとともに、芯材に１巻半程度巻かれた毛髪体が第１部位において芯材と被覆材とに挟み込まれて保持されている態様のヘアエクステンションが形成される。さらに、本発明に係るヘアエクステンションの第１の製造方法においては、基端部の一方側を覆う被覆材の第１被覆部と基端部の他方側を覆う被覆材の第２被覆部とを縫合する被覆部重ね縫合工程を備えるため、基端部が被覆材でしっかり覆われた態様のヘアエクステンションが形成される。
【００３７】
これにより、本発明に係るヘアエクステンションの第２の製造方法によれば、第１の製造方法と同様に、製造されるヘアエクステンションが毛髪体の第１部位と第２部位との間の芯材に毛髪体が１巻半程度巻かれた態様であり、毛髪体が折り返された第１部位において保持されている態様であるため、毛髪を抜けにくく保持するヘアエクステンションを製造することができる。
【００３８】
また、本発明に係るヘアエクステンションの第２の製造方法によれば、第１の製造方法と同様に、製造されるヘアエクステンションが毛髪体を芯材と被覆材とで挟み込んで保持する態様であり、特に基端部を強力な接着剤で固めて保持するものではないため、メンテナンスの際、基体をばらすことで、毛髪体を切って短くすることなく複数の毛髪にばらすことが可能なヘアエクステンションを製造することができる。
【００３９】
また、本発明に係るヘアエクステンションの第２の製造方法おいては、第１の製造方法と同様に、毛髪体固定工程及び被覆部重ね縫合工程で、毛髪体と被覆材とが縫合されるため、より毛髪を抜けにくく保持するヘアエクステンションを製造することができる。
【００４０】
その結果、本発明に係るヘアエクステンションの第２の製造方法は、毛髪が抜けにくく、メンテナンスの際に毛髪を再利用しやすいヘアエクステンションの製造方法となる。
【００４１】
［１１］本発明に係るヘアエクステンションの製造方法においては、毛髪配置工程の前に、一対の面ファスナーの一片を被覆材に固定する芯材接合面形成工程を備え、芯材接合工程では、芯材として一対の面ファスナーの他片を用い、一対の面ファスナーの他片を一対の面ファスナーの一片に貼り付けることで芯材を被覆材に接合することが好ましい。
【００４２】
このようなヘアエクステンションの製造方法によれば、面ファスナーによって被覆材と芯材との着脱が容易であることから、製造の際に毛髪の固定を容易にできるとともに、メンテナンスの際にばらしやすいヘアエクステンションを製造することができる。
【００４３】
［１２］本発明に係るヘアエクステンションの製造方法においては、被覆部重ね縫合工程の後に、取り替え可能なシート状のパッドを取り外し可能に固定するためのパッド固定具を被覆材に接合するパッド固定具接合工程をさらに備えることが好ましい。
【００４４】
このようなヘアエクステンションの製造方法によれば、パッド固定具によって頭皮に接して汚れやすい面に取り替え可能なパッドを固定でき、パッドを簡単に取り外して洗濯したり、新しいパッドに交換したりできることから、清潔に維持しやすいヘアエクステンションを製造することができる。また、このようなヘアエクステンションの製造方法によれば、毛髪体ごと洗濯しなくてよいため、毛髪体が傷みにくいことから、毛髪体を良い状態で長期間維持可能なヘアエクステンションを製造することができる。
【００４５】
［１３］本発明に係るヘアエクステンションの製造方法は、被覆部重ね縫合工程の後に、使用者の頭部に装着するための装着体として、伸縮可能で使用時に使用者の頭部を囲うことが可能な複数の環状バンドを被覆材に固定する装着体固定工程をさらに備えることが好ましい。
【００４６】
このようなヘアエクステンションの製造方法は、複数の環状バンドによって複数方向に引っ張られて使用者の頭部に固定されることから装着した際に位置がずれにくいヘアエクステンションを製造することができる。
【図面の簡単な説明】
【００４７】
【図１】実施形態１に係るヘアエクステンション１の外観図である。
【図２】実施形態１に係るヘアエクステンション１の正面図である。
【図３】実施形態１に係るヘアエクステンション１の断面図である。
【図４】実施形態１に係るヘアエクステンション１の製造方法のフローチャートである。
【図５】実施形態１に係るヘアエクステンション１の製造方法における各工程の説明図である。
【図６】実施形態２に係るヘアエクステンション１０１の断面図である。
【図７】実施形態２に係るヘアエクステンション１０１の製造方法のフローチャートである。
【図８】実施形態２に係るヘアエクステンション１０１の製造方法における各工程の説明図である。
【図９】実施形態３に係るヘアエクステンション２０１の断面図である。
【発明を実施するための形態】
【００４８】
以下に図面を参照して本発明の一実施形態であるヘアエクステンションについて説明するが、本発明は、これらの実施形態に限定されるものではない。なお、各図面は必ずしも実際の寸法を厳密に反映したものではない。
【００４９】
［実施形態１］
（１.実施形態１に係るヘアエクステンション１の構成）
図１は、実施形態１に係るヘアエクステンション１の外観図であり、使用者Ｐの頭部に装着した状態を示している。
図２は、実施形態１に係るヘアエクステンション１を模式的に示した正面図である。
図３は、実施形態１に係るヘアエクステンション１を模式的に示した図２のＡ−Ａ断面図である。なお、図３において、各部材が厚く描かれているが、図を見やすくするためのものであり、実際の各部材は薄い。また、図３において、一部の部材が両側に空間があり浮いているように描かれているが、図をみやすくするためのものであり、実際の各部材は互いに密着している。
【００５０】
ヘアエクステンションは、複数本の毛髪が基端部において束ねられたものであり、使用者の頭部に基端部を装着することで使用者の頭部を装飾する用具である。ヘアエクステンションにおいては、数１０本から数１００本の毛髪が、全体的に断面形状が円状になるように束ねられていてもよく、平らに並んだ状態で束ねられていてもよいが、一例として実施形態１のヘアエクステンション１は、平らに並んだ状態で束ねられているヘアエクステンションである。なお、本明細書においては、図面のようにヘアエクステンション１を、基端部が上方になるようにして毛髪を配置した向きにおいて説明し、「横幅」といった場合には毛髪が並べられる方向における幅、「縦幅」といった場合には毛髪が延びる方向における幅、「厚み」といった場合には、毛髪が並べられる方向及び毛髪が延びる方向に対して垂直な方向における幅を意味するものとする。また、「縦方向」、「横方向」又は「厚み方向」といった場合には、それぞれ、「縦幅」、「横幅」、又は「厚み」に沿う方向を意味するものとする。
【００５１】
ヘアエクステンション１は、図１に示すように、複数本の毛髪２１からなる毛髪体２と、複数本の毛髪２１の基端部を束ねる基体３と、基体３を使用者Ｐの頭部に装着するために用いられる装着体４とを備えている。
【００５２】
毛髪体２は、図２に示すように、毛髪が束ねられている部分（図２では基体３に覆われている部分）の基端部と基端部以外の部分（図２では基体３から飛出し露出している部分）であり外部に露出する露出部とからなる。毛髪体２は、複数本の毛髪２１が平らに並べられた状態で、基端部で束ねられて平面的に広がった形状となっている。毛髪体２の基端部は、図３に示すように、複数回（実施形態１では２回）折り返されており、折り返しを介しての部位同士が重なり合っている。さらに詳しくは、毛髪体２の基端部は、露出部側を基として、露出部側の基部位２１ａと、１回目の折り返し位置から２回目の折り返し位置までの第１部位２１ｂと、２回目の折り返し位置から先端位置までの第２部位２１ｃとを含み、厚み方向の一方側（図３では右側）から他方側（図３では左側）にむけて、第１部位２１ｂ、第２部位２１ｃ、基部位２１ａの順に重なり合っている。換言すると、毛髪体２の基端部は、第２部位２１ｃを内側にして渦巻き状に重なり合っている。毛髪としては人毛を用いても人造毛を用いてもよいが、実施形態１の毛髪２１は、人毛を用いている。なお、図２においては、複数の毛髪２１は、基端部と反対側の端部がきっちりと真っ直ぐに並べられて描かれているが、所望のヘアスタイルに合わせて斜めに並べたり、段違いに並べたりしてもよい。
【００５３】
基体３は、毛髪体２の基端部を覆う被覆材３１、被覆材３１の内面に固定される芯材接合材３２、芯材接合材３２に接合される芯材３３、毛髪体２の第２部位２１ｃと被覆材３１とを縫合する第１縫合材３４、毛髪体２の基部位２１ａと第２部位２１ｃとの間に挟まれた粘着シート３５、折り返された被覆材３１を重なり合わせて縫合する第２縫合材３６、及び、被覆材３１の外面に着脱自在に取り付けられるパッド３７を有している。
【００５４】
被覆材３１は、シート状の布材であり、縦方向に折り返され、厚み方向において、一方側（図３では右側）の第１被覆部３１ａと他方側（図３では左側）の第２被覆部３１ｂとが重なり合うようにして形成されている。被覆材３１は、第１被覆部３１ａ及び第２被覆部３１ｂが平面的に見て毛髪体２の基端部より一回り大きく形成されていることで、毛髪体２の基端部を内側に挟み込むようにして覆っている。
【００５５】
芯材接合材３２は、一対の面ファスナーの一片であり、被覆材３１の第１被覆部３１ａの内面に固定されている。芯材接合材３２は、横幅が毛髪体２の横幅よりも広く、縦幅が毛髪体２の第１部位２１ｂの縦幅より狭い、細長い略長方形状に形成されている。芯材接合材３２は、粘着剤又は縫合によって被覆材３１にしっかり固定されている。
【００５６】
芯材３３は、芯材接合材３２と対応する一対の面ファスナーの他片であり、芯材接合材３２と同様の細長い略長方形状に形成されている。芯材３３は、厚み方向において、毛髪体２の第１部位２１ｂと第２部位２１ｃとの間に配置されており、芯材接合材３２に接合されている。すなわち、芯材３３は、芯材接合材３２を介して間接的に被覆材３１の第１被覆部３１ａに接合されている。これにより、芯材３３は、被覆材３１の第１被覆部３１ａとの間に毛髪体２の第１部位２１ｂを挟み込むようにして、毛髪体２を固定している。
【００５７】
第１縫合材３４は、糸であり、被覆材３１の第１被覆部３１ａと毛髪体２の第１部位２１ｂと毛髪体２の第２部位２１ｃとを重ならせた状態で縫合している。第１縫合材３４は、第１被覆部３１ａ、及び第２部位２１ｃが一体となるよう、且つ、バラバラにならないような縫合位置及び縫合長さに適宜設定されている。なお、第１縫合材３４は、図３では芯材３３と重ならない位置に描かれているが、芯材３３と重なる位置に形成されていてもよい。
【００５８】
粘着シート３５は、熱を加えることで片面又は両面に粘着性を有する熱接着テープである。粘着シート３５は、厚み方向において、被覆材３１の第１被覆部３１ａと第２被覆部３１ｂとの間で毛髪体２の基部位２１ａと第２部位２１ｃの間に位置し、間に毛髪体２の基部位２１ａを挟み込んで、被覆材３１の第２被覆部３１ｂの内面に接合されている。
【００５９】
第２縫合材３６は、糸であり、被覆材３１の第１被覆部３１ａと被覆材３１の第２被覆部３１ｂと毛髪体２の基端部とを重ならせた状態で縫合している。第２縫合材３６は、第１被覆部３１ａと第２被覆部３１ｂとが密着するような縫合位置及び縫合長さに適宜設定されている。なお、第２縫合材３６は、図３では芯材３３、毛髪体２の第２部位２１ｃ、及び粘着シート３５と重ならない位置に描かれているが、芯材３３、毛髪体２の第２部位２１ｃ、又は粘着シート３５と重なる位置に形成されていてもよい。
【００６０】
パッド３７は、使用時に使用者Ｐに接触させる当て布等のシートである。パッド３７は、パッド固定具３８によって被覆材３１の表面に固定されている。パッド３７は、取り替え可能である。パッド固定具としては、面ファスナー、スナップボタン等、着脱可能にできるものを採用すればよいが、実施形態１のパッド固定具３８は、面ファスナー３８（３８ａ，３８ｂ）を採用している。面ファスナー３８は、一片３８ａが被覆材３１の第１被覆部３１ａに接合され、他片３８ｂがパッド３７に接合されており、被覆材３１に対してパッド３７を着脱可能にしている。
【００６１】
装着体４は、伸縮可能で使用時に使用者Ｐの頭部を囲うことが可能な環サイズの環状バンド（環状の弾性体の紐）４１を複数有している。複数の環状バンド４１は、縦方向に互いに所定の間隔をあけ内側の一部を被覆材３１の第２被覆部３１ｂに接触させて被覆材３１に固定されている。すなわち、装着体４は、複数の環状バンド４１の環が第１被覆部３１ａ側にでき、それぞれの環状バンド４１の縦方向の位置がずれた態様で、被覆材３１に固定されている。
【００６２】
（２.実施形態１に係るヘアエクステンション１の製造方法）
図４は、実施形態１に係るヘアエクステンション１の製造方法を示すフローチャートである。
図５は、実施形態１に係るヘアエクステンション１の製造方法における各工程を説明するための説明図である。なお、図５においては、各工程に＜Ｈ＞又は＜Ｖ＞を付した図を示しているが、＜Ｈ＞を付した図が正面図、＜Ｖ＞を付した図が側面図である。
【００６３】
実施形態１に係るヘアエクステンション１は、図４に示すように、芯材接合面形成工程Ｓ１、毛髪配置工程Ｓ２、芯材接合工程Ｓ３、毛髪体固定工程Ｓ４、被覆材折り返し工程Ｓ５、被覆部重ね縫合工程Ｓ６、パッド固定具接合工程Ｓ７、装着体固定工程Ｓ８をこの順に経て製造されている。
【００６４】
芯材接合面形成工程Ｓ１では、図５（ａ）に示すように、広げた状態の被覆材３１の縦方向半分より上側（第１被覆部３１ａ）に、芯材接合材３２としての一対の面ファスナーの一片を固定する。芯材接合材３２は、横方向に延びるようにして固定する。芯材接合材３２は、粘着テープによる貼り付け、接着による貼り付け、糸による縫合等により、被覆材３１と一体になるように固定する。
【００６５】
毛髪配置工程Ｓ２では、図５（ｂ）に示すように、完成体でそれぞれ重なり合う部位である基部位２１ａ、第１部位２１ｂ、及び第２部位２１ｃを含む基端部、及び基端部以外の部分であり第２部位２１ｃよりも第１部位２１ｂの近く（基部位２１ａと隣り合わせ）に位置する露出部からなる毛髪２１を、シート状の被覆材３１上に基部位２１ａ及び第１部位２１ｂを載せるとともに、被覆材３１から第２部位２１ｃをはみ出させるようにして横方向（並び方向）に複数本並べて配置する。なお、基部位２１ａ、第１部位２１ｂ、及び第２部位２１ｃは、最終的に折り返しを介して互いに重なる部位であり、この段階では一直線上に連続しており境界がわかりにくいが、先にそれぞれの部位の縦幅を設定しておくとよい。それぞれの部位２１ａ，２１ｂ，２１ｃの縦幅は、適宜設定すればよいが、被覆材３１の縦幅の半分よりも少しだけ短い幅を目安に設定するとよい。
【００６６】
芯材接合工程Ｓ３では、図５（ｃ）に示すように、芯材３３としての一対の面ファスナーの他片を、芯材接合材３２としての一対の面ファスナーの一片に接合する。換言すると、シート状の芯材３３を複数本の毛髪２１を横断させるよう第１部位２１ｂ上に配置した上で、被覆材３１に接合する。これにより、毛髪２１は、芯材３３によって被覆材３１上に固定されることになる。
【００６７】
毛髪固定工程Ｓ４では、図５（ｄ）に示すように、まず、毛髪２１を第１部位２１ｂと第２部位２１ｃとの間で折り返す（図４の手順Ｓ４１）。これにより、毛髪２１は、第１部位２１ｂと第２部位２１ｃとが芯材３３を挟んで重なり合った状態になる。毛髪固定工程Ｓ４では、次に、重なり合っている毛髪２１の第１部位２１ｂと毛髪２１の第２部位２１ｃと被覆材３１とを糸により縫合する（図４の手順Ｓ４２）。これにより、第１部位２１ｂと第２部位２１ｃとが重なり合った状態が維持されるとともに、毛髪２１がより強固に被覆材３１に固定される。毛髪固定工程Ｓ４では、次に、片面若しくは両面に粘着性を有する、又は熱を加えることで片面若しくは両面に粘着性を有するようになる粘着シート３５を、被覆材３１の縦方向半分より下側（第２被覆部３１ｂ）上で、毛髪２１の基部位２１ａ上に粘着させる（図４の手順Ｓ４３）。
【００６８】
被覆材折り返し工程Ｓ５では、図５（ｅ）に示すように、被覆材３１を第１被覆部３１ａと第２被覆部３１ｂとが重なり合うように、折り返し線が横方向に沿って延びるようにして半分に折り返す。これに伴い、毛髪２１は、第２部位２１ｃが基部位２１ａと重なるように折り返される。これにより、複数本の毛髪２１が第１被覆部３１ａ側から、第１部位２１ｂ、第２部位２１ｃ、及び基部位２１ａの順で重なり合って基端部で束ねられた毛髪体２が形成されるとともに、毛髪体２の基端部を厚み方向両側から覆う基体３が形成される。
【００６９】
被覆部重ね縫合工程Ｓ６では、図５（ｆ）に示すように、被覆材３１を折り返したことで重なり合った被覆材３１の第１被覆部３１ａ、第２被覆部３１ｂ及び毛髪２１を糸により縫合する。これにより、第１被覆部３１ａと第２被覆部３１ｂとが強固に密着するとともに、内側の毛髪体２が基体３により強固に固定される。
【００７０】
パッド固定具接合工程Ｓ７では、図５（ｇ）に示すように、取り替え可能なシート状のパッド３７を取り外し可能に固定するためのパッド固定具３８を被覆材３１の第１被覆部３１ａに、粘着テープによる貼り付け、接着による貼り付け、糸による縫合等により、接合する。これにより、被覆材３１にパッド具３８によりパッド３７を着脱自在に取り付けられるようになる。パッド具３８としては一対の面ファスナーが用いられ、被覆材３１ａには面ファスナーの一片３８ａを接合し、面ファスナーの他片３８ｂを、当て布であるパッド３７に接合する。
【００７１】
装着体固定工程Ｓ８では、図５（ｈ）に示すように、伸縮可能で使用時に使用者Ｐの頭部を囲うことが可能な装着体４を構成する複数の環サイズの環状バンド（環状の弾性体の紐）４１を、内側の一部を被覆材３１の第２被覆部３１ｂに接触させて被覆材３１に縫合により固定する。装着体固定工程Ｓ８では、複数の環状バンド４１を、第１被覆部３１ａ側に環ができるようにして、縦方向に所定の間隔をあけて固定する。以上により、実施形態１に係るヘアエクステンション１が製造される。
【００７２】
（３.実施形態１に係る効果）
ヘアエクステンション１によれば、芯材３３に１巻半程度巻かれた毛髪体２を基体３で保持しているため、毛髪体２の露出部に引っ張る外力が加わったとしても、毛髪体２が芯材３３を締め付け、芯材３３と毛髪体２との抵抗が増し、芯材３３に対して毛髪体２が滑りにくくなることから、毛髪２１を抜けにくく保持することができる。また、ヘアエクステンション１によれば、毛髪体２が折り返された第１部位２１ｂにおいて保持されているため、毛髪体２の露出部に引っ張る外力が加わったとしても第１部位２１ｂには外力の向きとは逆向きで減少した力が伝わることから、毛髪２１を抜けにくく保持することができる。
【００７３】
また、ヘアエクステンション１によれば、基体３は、毛髪体２を芯材３３と被覆材３１とで挟み込んで保持しており、特に基端部を強力な接着剤で固めて保持するものではないため、メンテナンスの際、基体３をばらすことで、毛髪体２を切って短くすることなく複数の毛髪２１にばらすことができる。
【００７４】
その結果、ヘアエクステンション１は、毛髪２１が抜けにくく、メンテナンスの際に毛髪２１を再利用しやすいヘアエクステンションとなる。
【００７５】
ヘアエクステンション１においては、基体３は、一対の面ファスナーを有し、一対の面ファスナーの一片が芯材接合材３２として被覆材３１の内面に固定されており、一対の面ファスナーの他片が芯材３３として構成されている。このため、ヘアエクステンション１は、面ファスナーによって被覆材３１と芯材３３との着脱が容易であることから、毛髪２１を容易に固定できるとともに、メンテナンスの際にはばらしやすいヘアエクステンションとなる。
【００７６】
ヘアエクステンション１においては、基体３は、毛髪体２と被覆材３１とを縫合する第１縫合材３４を有するため、第１縫合材３４で毛髪体２と被覆材３１とが固定されることから、ヘアエクステンション１は、より毛髪２１を抜けにくく保持できるヘアエクステンションとなる。
【００７７】
ヘアエクステンション１においては、基体３は、第１被覆部３１ａと第２被覆部３１ｂとの間に、片面又は両面に粘着性があり毛髪体２を挟み込んで被覆材３１接合されている粘着シート３５を有するため、粘着シート３５によって毛髪体２が被覆部３１の別の内側でも固定されることから、ヘアエクステンション１は、より毛髪２１を抜けにくく保持できるヘアエクステンションとなる。
【００７８】
ヘアエクステンション１においては、基体３は、被覆材３１に接合され、取り替え可能なシート状のパッド３７を取り外し可能に固定可能なパッド固定具３８をさらに有する。このため、ヘアエクステンション１は、パッド固定具３８によって頭皮に接して汚れやすい面に取り替え可能なパッド３７を被覆材３１に固定でき、パッド３７を簡単に取り外して洗濯したり、新しいパッド３７に交換したりできることから、清潔に維持しやすいヘアエクステンションとなる。また、ヘアエクステンション１は、毛髪体２ごと洗濯しなくてよいため、毛髪体２が傷みにくいことから、毛髪体２を良い状態で長期間維持可能なヘアエクステンションとなる。
【００７９】
ヘアエクステンション１においては、被覆材３１に固定されており、基体３を使用者Ｐの頭部に装着させるための装着体４をさらに備えるため、ヘアエクステンション１は、装着用の別部材を用いなくても装着体４によって使用者Ｐの頭部に装着可能なことから、すぐに使えるヘアエクステンションとなる。
【００８０】
ヘアエクステンション１においては、装着体４は、伸縮可能で使用時に使用者Ｐの頭部を囲うことが可能な複数の環状バンド４１を有する。このため、ヘアエクステンション１は、環状バンド４１によって複数方向に引っ張られて使用者Ｐの頭部に固定されることから、装着した際に位置がずれにくいヘアエクステンションとなる。
【００８１】
実施形態１のヘアエクステンションの製造方法においては、毛髪２１を横方向に複数本並べて配置する毛髪配置工程Ｓ２と、芯材３３を複数本の毛髪２１を横断させるよう第１部位２１ｂ上に配置した上で、被覆材３１に接合する芯材接合工程Ｓ３とを備えているため、毛髪２１の第１部位２１ｂを被覆材３１に固定できることから、その後の製造工程の取扱いが容易になる。そして、実施形態１のヘアエクステンションの製造方法においては、毛髪２１を第１部位２１ｂと第２部位２１ｃとの間で折り返し、第２部位２１ｂと被覆材３１とを縫合する毛髪体固定工程Ｓ４と、被覆材３１を、折り返し線が横方向に沿って延びるようにして半分に折り返す被覆材折り返し工程Ｓ５とを備えているため、第１部位２１ｂと第２部位２１ｃとの間に芯材３３を位置させるとともに、芯材３３に１巻半程度巻かれた毛髪体２１が第１部位２１ｂにおいて芯材３３と被覆材３１とに挟み込まれて保持されている態様のヘアエクステンション１が形成される。さらに、実施形態１のヘアエクステンションの製造方法においては、基端部の一方側を覆う被覆材３１の第１被覆部３１ａと基端部の他方側を覆う被覆材３１の第２被覆部３１ｂとを縫合する被覆部重ね縫合工程Ｓ６を備えるため、基端部が被覆材３１でしっかり覆われた態様のヘアエクステンション１が形成される。
【００８２】
これにより、実施形態１のヘアエクステンションの製造方法によれば、製造されるヘアエクステンション１が毛髪体２の第１部位２１ｂと第２部位２１ｃとの間の芯材３３に毛髪体２が１巻半程度巻かれた態様であるため、毛髪体２の露出部に引っ張る外力が加わったとしても、毛髪体２が芯材３３を締め付け、芯材３３と毛髪体２との抵抗が増し、芯材３３に対して毛髪体２が滑りにくいことで毛髪２１を抜けにくく保持するヘアエクステンションを製造することができる。また、実施形態１のヘアエクステンションの製造方法によれば、製造されるヘアエクステンション１が折り返された第１部位２１ｂにおいて毛髪体２を保持する態様であるため、毛髪体２の露出部に引っ張る外力が加わったとしても第１部位２１ｂには外力の向きとは逆向きで減少した力が伝わることで毛髪２１を抜けにくく保持するヘアエクステンションを製造することができる。
【００８３】
また、実施形態１のヘアエクステンションの製造方法によれば、第１部位２１ａ、第２部位２１ｂ、及び被覆材３１を縫合する毛髪体固定工程Ｓ５と、重なり合った被覆材３１同士及び第３部位２１ｃを縫合する被覆部重ね縫合工程Ｓ６とを備えているため、第１部位２１ａ、第２部位２１ｂ、及び第３部位２１ｃが被覆材３１に縫合されて固定されていることから、より毛髪２１を抜けにくく保持するヘアエクステンションを製造することができる。
【００８４】
また、実施形態１のヘアエクステンションの製造方法によれば、製造されるヘアエクステンション１が毛髪体２を芯材３３と被覆材３１とで挟み込んで保持する態様であり、特に基端部を強力な接着剤で固めて保持するものではないため、メンテナンスの際、基体をばらすことで、毛髪体２を切って短くすることなく複数の毛髪２１にばらすことが可能なヘアエクステンションを製造することができる。
【００８５】
また、実施形態１のヘアエクステンションの製造方法によれば、毛髪体固定工程Ｓ５及び被覆部重ね縫合工程Ｓ６で、毛髪体２と被覆材３１とが縫合されるため、毛髪体２と被覆材３１とが固定されることでより毛髪２１を抜けにくく保持するヘアエクステンションを製造することができる。
【００８６】
その結果、実施形態１のヘアエクステンションの製造方法は、毛髪２１が抜けにくく、メンテナンスの際に毛髪２１を再利用しやすいヘアエクステンションの製造方法となる。
【００８７】
実施形態１のヘアエクステンションの製造方法によれば、毛髪配置工程Ｓ２の前に、一対の面ファスナーの一片を被覆材３１に固定する芯材接合面形成工程Ｓ１を備え、芯材接合工程Ｓ３では、芯材３３として一対の面ファスナーの他片を用い、一対の面ファスナーの他片を一対の面ファスナーの一片に貼り付けることで芯材３３を被覆材３１に接合するため、面ファスナーによって被覆材３１と芯材３３との着脱が容易であることから、製造の際に毛髪２１の固定を容易にできるとともに、メンテナンスの際にばらしやすいヘアエクステンションを製造することができる。
【００８８】
実施形態１のヘアエクステンションの製造方法においては、被覆部重ね縫合工程Ｓ６の後に、取り替え可能なシート状のパッド３７を取り外し可能に固定するためのパッド固定具３８を被覆材３１に接合するパッド固定具接合工程Ｓ７を備える。このため、実施形態１のヘアエクステンションの製造方法によれば、パッド固定具３８によって頭皮に接して汚れやすい面に取り替え可能なパッド３７を固定でき、パッド３７を簡単に取り外して洗濯したり、新しいパッド３７に交換したりできることから、清潔に維持しやすいヘアエクステンションを製造することができる。また、実施形態１のヘアエクステンションの製造方法によれば、毛髪体２ごと洗濯しなくてよいため、毛髪体２が傷みにくいことから、毛髪体２を良い状態で長期間維持可能なヘアエクステンションを製造することができる。
【００８９】
実施形態１のヘアエクステンションの製造方法においては、被覆部重ね縫合工程Ｓ６の後に、使用者Ｐの頭部に装着するための装着体４として、伸縮可能で使用時に使用者Ｐの頭部を囲うことが可能な複数の環状バンド４１を被覆材３１に固定する装着体固定工程Ｓ８を備える。このため、実施形態１のヘアエクステンションの製造方法によれば、複数の環状バンド４１によって複数方向に引っ張られて使用者Ｐの頭部に固定されることから装着した際に位置がずれにくいヘアエクステンションを製造することができる。
【００９０】
［実施形態２］
（１.実施形態２に係るヘアエクステンション１０１の構成）
図６は、実施形態２に係るヘアエクステンション１０１を模式的に示した断面図である。
【００９１】
実施形態２に係るヘアエクステンション１０１は、基本的には実施形態１に係るヘアエクステンション１と同様の構成を有するが、毛髪体及び基体の構成が実施形態１に係るヘアエクステンション１の場合とは異なる。すなわち、図６に示すように、実施形態２に係るヘアエクステンション１０１においては、粘着シートの有無、毛髪体１０２の基端部の折り返しの形態、及び基体１０３の被覆材１３１の折り返しの形態が実施形態１の場合と異なる。以下では、実施形態１のヘアエクステンション１と異なる折り返しの形態を中心に説明し、同様の部分については図６において図３で付した符号と同じ符号を付して説明を省略する。
【００９２】
毛髪体１０２の基端部は、図６に示すように、複数回（実施形態２では３回）折り返されており、折り返しを介しての部位同士が重なり合っている。さらに詳しくは、毛髪体１０２の基端部は、露出部側を基として、露出部側の基部位１２１ａと、１回目の折り返し位置から２回目の折り返し位置までの第１部位１２１ｂと、２回目の折り返し位置から３回目の折り返し位置までの第２部位１２１ｃと、３回目の折り返し位置から先端位置までの第３部位１２１ｄとを含み、厚み方向の一方側（図６では右側）から他方側（図６では左側）にむけて、第１部位１２１ｂ、第２部位１２１ｃ、第３部位１２１ｄ、基部位１２１ａの順に重なり合っている。換言すると、毛髪体２の基端部は、第２部位２１ｃ及び第３部位１２１ｄを内側にして、それらの外側を第１部位１２１ｂと基部位ａとが巻くように重なり合っている。
【００９３】
基体１０３の被覆材１３１は、毛髪体１０２に沿って縦方向に折り返され、厚み方向において、一方側（図６では右側）の第１被覆部１３１ａと他方側（図６では左側）の第２被覆部１３１ｂと内側の内側被覆部１３１ｃとが重なり合うようにして形成されている。被覆材１３１は、第１被覆部１３１ａ及び第２被覆部１３１ｂが平面的に見て毛髪体１０２の基端部より一回り大きく形成されていることで、毛髪体１０２の基端部を内側に挟み込むようにして覆っている。また、被覆材１３１の内側被覆部１３１ｃは、縦方向に折り返されて密着する２重の布として形成されている。
【００９４】
なお、芯材３３は、実施形態１と同様に、厚み方向において、毛髪体１０２の第１部位１２１ｂと第２部位１２１ｃとの間に配置されており、芯材接合材３２に接合されている。すなわち、芯材３３は、芯材接合材３２を介して間接的に被覆材１３１の第１被覆部１３１ａに接合されている。これにより、芯材３３は、被覆材１３１の第１被覆部１３１ａとの間に毛髪体１０２の第１部位１２１ｂを挟み込むようにして、毛髪体１０２を固定している。また、第１縫合材３４は、実施形態１での説明した縫合箇所や毛髪体１０２の第２部位１２１ｃと第１部位１２１ｂとをまとめて縫合していない点で実施形態１とは異なるが、毛髪体１０２の各部位と被覆材１３１とを適宜位置を定めて縫合するものであるため、同様の符号を付して説明を省略している。
【００９５】
（２.実施形態２に係るヘアエクステンション１０１の製造方法）
図７は、実施形態２に係るヘアエクステンション１０１の製造方法を示すフローチャートである。
図８は、実施形態２に係るヘアエクステンション１０１の製造方法における各工程を説明するための説明図である。なお、図８においては、図５と同様、各工程に＜Ｈ＞又は＜Ｖ＞を付した図を示しているが、＜Ｈ＞を付した図が正面図、＜Ｖ＞を付した図が側面図である。
【００９６】
実施形態２に係るヘアエクステンション１０１は、図７に示すように、芯材接合面形成工程Ｓ１０１、毛髪配置工程Ｓ１０２、芯材接合工程Ｓ１０３、毛髪体固定工程Ｓ１０４、被覆材折り返し工程Ｓ１０５、被覆部重ね縫合工程Ｓ１０６、パッド固定具接合工程Ｓ１０７、装着体固定工程Ｓ１０８をこの順に経て製造されている。以下では、実施形態１と異なる部分について説明し、固定や接合の手段については実施形態１と同様であり説明を省略する。
【００９７】
芯材接合面形成工程Ｓ１０１では、図８（ａ）に示すように、広げた状態の被覆材１３１の縦方向半分より下側のさらに半分の上側（第１被覆部３１ａ）に、芯材接合材３２としての一対の面ファスナーの一片を固定する。
【００９８】
毛髪配置工程Ｓ１０２では、図８（ｂ）に示すように、完成体でそれぞれ重なり合う部位である基部位１２１ａ、第１部位１２１ｂ、第２部位１２１ｃ及び第３部位１２１ｄを含む基端部、及び露出部からなる毛髪１２１を、シート状の被覆材１３１上に載せるとともに、被覆材１３１から第３部位１２１ｄがはみ出さない程度で縦方向一杯にかつ横方向（並び方向）に複数本並べて配置する。なお、それぞれの部位１２１ａ，１２１ｂ，１２１ｃ，１２１ｄの縦幅は、適宜設定すればよいが、それぞれ被覆材３１の縦幅の１/４幅を目安に設定するとよい。
【００９９】
芯材接合工程Ｓ１０３では、図８（ｃ）に示すように、実施形態１と同様に、芯材３３としての一対の面ファスナーの他片を、芯材接合材３２としての一対の面ファスナーの一片に接合する。
【０１００】
毛髪固定工程Ｓ１０４では、図８（ｄ）に示すように、毛髪１２１と被覆材１３１とを糸により場所を適宜定めて縫合する（図８の（ｄ）では横方向に延びる第１縫合材３４で３列縫合している）。これにより、毛髪１２１がより強固に被覆材１３１に固定される。
【０１０１】
被覆材折り返し工程Ｓ１０５では、２回の折り返しを行う。一回目折り返しＳ１５１では、図８（ｅ）に示すように、被覆材１３１を内側被覆部１３１ｃが第１被覆部１３１ａ及び第２被覆部１３１ｂに重なり合うように、折り返し線が横方向に沿って延びるようにして半分に折り返す。二回目折り返しＳ１５２では、図８（ｆ）に示すように、被覆材１３１を内側被覆部１３１ｃが内側で二重になるように、かつ、第１被覆部１３１ａと第２被覆部１３１ｂとが重なり合うように、折り返し線が横方向に沿って延びるようにしてさらに半分に折り返す。これら２回の折り返しに伴い、毛髪１２１も２回折り返される。これにより、複数本の毛髪１２１が第１被覆部１３１ａ側から、第１部位１２１ｂ、第２部位１２１ｃ、第３部位１２１ｄ及び基部位１２１ａの順で重なり合って基端部で束ねられた毛髪体１０２が形成されるとともに、毛髪体１０２の基端部を厚み方向両側から覆う基体１０３が形成される。
【０１０２】
被覆部重ね縫合工程Ｓ１０６では、図８（ｇ）に示すように、被覆材１３１を折り返したことで重なり合った被覆材１３１の第１被覆部１３１ａ、第２被覆部１３１ｂ、内側被覆部１３１ｃ及び毛髪１２１を糸により縫合する。これにより、第１被覆部１３１ａと第２被覆部１３１ｂとが強固に密着するとともに、毛髪体１０２が基体１０３により強固に固定される。
【０１０３】
パッド固定具接合工程Ｓ１０７では、図８（ｈ）に示すように、実施形態１と同様にパッド固定具３８を被覆材１３１の第１被覆部１３１ａに接合する。また、装着体固定工程Ｓ１０８では、図８（ｉ）に示すように、実施形態１と同様に装着体４を被覆材１３１に固定する。以上により、実施形態２に係るヘアエクステンション１が製造される。
【０１０４】
（３.実施形態２に係る効果）
実施形態２に係るヘアエクステンション１０１及びヘアエクステンション１０１の製造方法は、実施形態１に係るヘアエクステンション１と主構成及び製造方法の基本的な流れが同様であるため、基本的には実施形態１に係るヘアエクステンション１及びヘアエクステンション１の製造方法と同様の効果を奏する。
【０１０５】
ヘアエクステンション１０１においては、被覆材１３１は、基端部の一方側を覆う第１被覆部１３１ａと、基端部の他方側を覆う第２被覆部１３１ｂと、第１被覆部１３１ａと第２被覆部１３１ｂとの間で第１被覆部１３１ａに繋がる内側被覆部１３１ｃとを有するように構成されている。このため、ヘアエクステンション１０１は、第１被覆部１３１ａと内側被覆部１３１ｃとで、及び第２被覆部１３１ｂと内側被覆部１３１ｃとでも毛髪体１０２を挟み込んで保持することができることから、より毛髪１２１を抜けにくく保持できるヘアエクステンションとなる。
【０１０６】
［実施形態３］
図９は、実施形態３に係るヘアエクステンション２０１の断面図である。
【０１０７】
実施形態３に係るヘアエクステンション２０１は、基本的には実施形態１に係るヘアエクステンション１と同様の構成を有するが、基体及び装着体の構成が実施形態１に係るヘアエクステンション１の場合とは異なる。すなわち、図９に示すように、実施形態３に係るヘアエクステンション２０１においては、パッドの有無、被覆材２３１の形状、粘着シート２３５の配置、及び装着体２０４の構成が実施形態１の場合と異なる。以下では、実施形態１のヘアエクステンション１と異なる部分を中心に説明し、同様の部分については図９において図３で付した符号と同じ符号を付して説明を省略する。
【０１０８】
基体２０３は、実施形態１の基体３が被覆材３１の外面にパッド３７を有していたのに対し、特にパッドを有していない点で異なる。これにより、使用時に使用者と接触しやすい部分を取り外して洗濯することはできないが、パッドがない分、薄く形成されている。
【０１０９】
基体２０３における被覆材２３１は、実施形態１の被覆材３１が横幅に沿った線で折り返されて第１被覆部３１ａと第２被覆部３１ｂとが上方で繋がっていたのに対し、第１被覆部２３１ａと第２被覆部２３１ｂとがそれぞれ折り返しのないシート状の布で、別ピースとして構成されている点で異なる。第１被覆部２３１ａと第２被覆部２３１ｂとは、第２縫合材３６等でしっかり密着して接合されており、実施形態１と同様、毛髪体２の基端部をしっかり覆うよう構成されている。
【０１１０】
また、基体２０３における粘着シート２３５は、実施形態１の粘着シート３５が基部位２１ａと第２部位２１ｃとの間に配置されていたのに対し、基部位２１ａと被覆材２３１の第２被覆部２３１ｂとの間に配置されている。
【０１１１】
装着体２０４は、金属製のフックであり、板状のベース部２０４ａとベース部２０４ａの上部から突出して折り返しのある複数の櫛歯２０４ｂとを有する。ベース部２０４ａは第１被覆部２３１ａの外面に縫合により固定されている。装着体２０４は、櫛歯２０４ｂを使用者の頭髪にひっかけることで、使用者の頭部に装着可能に構成されている。
【０１１２】
このように、実施形態３に係るヘアエクステンション２０１においては、基体２０３及び装着体２０４の構成が実施形態１に係るヘアエクステンション１と異なるが、基本的な構成が実施形態１に係るヘアエクステンション１と同様であるため、毛髪が抜けにくく、メンテナンスの際に毛髪を再利用しやすいヘアエクステンションとなる。
【０１１３】
以上、本発明を上記の実施形態に基づき説明したが、本発明は上記の実施形態に限定されるものではない。その趣旨を逸脱しない範囲において種々の態様において変更することが可能であり、例えば、次のような変形も可能である。
【０１１４】
（１）上記実施形態において記載した形状、位置、大きさ、材質等は例示であり、本発明の効果を損なわない範囲において変更することが可能である。
【０１１５】
（２）上記した実施形態においては、芯材３３は、被覆材３１に芯材接合材３２を介して間接的に接合されていたが、本発明はこれに限定されるものではない。例えば、芯材として片面粘着シートを用いて、毛髪体を挟んで被覆材に粘着させることにより直接的に接合されていてもよい。また、芯材として布材を用いて、毛髪体を挟んで被覆材に縫合されることにより直接的に接合されていてもよい。
【０１１６】
（３）上記した実施形態１においては、粘着シート３５が熱を加えることで片面又は両面に粘着性を有する熱接着テープであると説明したが、本発明はこれに限定されるものではない。例えば、粘着シートとして、熱を加えなくても粘着力を発揮する両面テープであってもよい。
【０１１７】
（４）上記実施形態において記載した製造工程の順序は例示であり、最終的に本発明のヘアエクステンションを構成できるのであれば、適宜順番を変更してもよい。例えば、パッド形成工程Ｓ７（Ｓ１０７）と装着体固定工程Ｓ８（Ｓ１０８）との順序を逆にしてもよい。
【符号の説明】
【０１１８】
１，１０１，２０１…ヘアエクステンション
２，１０２…毛髪体
３，１０３，２０３…基体
４，２０４…装着体
２１，１２１…毛髪
２１ａ，１２１ａ…基部位、２１ｂ，１２１ｂ…第１部位、２１ｃ，１２１ｃ…第２部位
３１，１３１，２３１…被覆材
３１ａ，１３１ａ,２３１ａ…第１被覆部、３１ｂ，１３１ｂ，２３１ｂ…第２被覆部
３２…芯材接合材（面ファスナーの一片）
３３…芯材（面ファスナーの他片）
３４…第１縫合材（縫合材）
３５，２３５…粘着シート
３６…第２縫合材
３７…パッド
３８…パッド固定具（面ファスナー）
４１…環状バンド
Ｓ１，Ｓ１０１…芯材接合面形成工程
Ｓ２，Ｓ１０２…毛髪配置工程
Ｓ３，Ｓ１０３…芯材接合工程
Ｓ４，Ｓ１０４…毛髪体固定工程
Ｓ５，Ｓ１０５…被覆材折り返し工程
Ｓ６，Ｓ１０６…被覆部重ね縫合工程
Ｓ７，Ｓ１０７…パッド固定具接合工程
Ｓ８，Ｓ１０８…装着体固定工程
【図１】
2020111851.tif 000003
【図２】
2020111851.tif 000004
【図３】
2020111851.tif 000005
【図４】
2020111851.tif 000006
【図５】
2020111851.tif 000007
【図６】
2020111851.tif 000008
【図７】
2020111851.tif 000009
【図８】
2020111851.tif 000010
【図９】
2020111851.tif 000011